(57)【要約】【課題】  製造コストを低減することができ、かつ、原稿の先端又は後端及び原稿の重送を精度よく検知することができる原稿読取装置を提供することを目的とする。【解決手段】  送信機から送信した超音波の受信機における受信量に基づいて、原稿の先端及び後端を検知するとともに、原稿の重送を検知する。このように、原稿の先端及び後端を検知するための機構と原稿の重送を検知するための機構とを共用化することにより、製造コストを低減することができる。また、送信機から連続的に超音波を送信させて原稿の先端を検知した後、超音波を所定の送信周期Ｔ１で定期的に送信させるように変更して、原稿の重送を検知し、重送検知が終了した後は、再び送信機から連続的に超音波を送信させるように変更して、原稿の後端を検知する。これにより、原稿の先端及び後端ならびに原稿の重送を精度よく検知することができる。【選択図】  図３
2008214046.tif 000002
【特許請求の範囲】
【請求項１】
２以上の原稿を搬送路へ順次に搬送する原稿搬送手段と、
上記原稿搬送手段により搬送される原稿の画像を読み取る原稿読取手段と、
上記搬送路に向けて超音波を送信する超音波送信機と、
上記搬送路を挟んで上記超音波送信機と反対側に設けられ、超音波の受信量に応じた信号を出力する超音波受信機と、
上記超音波送信機から連続的に超音波を送信させ、上記超音波受信機からの出力信号に基づいて原稿の先端を検知する先端検知手段と、
上記先端検知手段により原稿の先端が検知された後、上記超音波送信機から所定の送信周期で定期的に超音波を送信させ、上記超音波受信機からの出力信号に基づいて原稿の重送を検知する重送検知手段とを備えたことを特徴とする原稿読取装置。
【請求項２】
上記重送検知手段は、原稿の重送検知を開始してから所定時間が経過するまで重送を検知し、
上記所定時間が経過した後、上記超音波送信機から連続的に超音波を送信させ、上記超音波受信機からの出力信号に基づいて原稿の後端を検知する後端検知手段を備えたことを特徴とする請求項１に記載の原稿読取装置。
【請求項３】
原稿のサイズ又は読取解像度に基づいて、上記所定時間を変更する重送検知時間変更手段を備えたことを特徴とする請求項２に記載の原稿読取装置。
【発明の詳細な説明】
【技術分野】
【０００１】
本発明は、原稿読取装置に係り、さらに詳しくは、原稿が搬送される搬送路に超音波を送信することにより原稿の重送を検知することができる原稿読取装置に関する。
【背景技術】
【０００２】
超音波を用いて紙等の重送を検知する技術が知られている（例えば、特許文献１〜３）。このような技術を採用した原稿読取装置には、通常、超音波送信機及び超音波受信機からなる超音波センサが備えられており、超音波送信機から送信された超音波の超音波受信機における受信量に基づいて、原稿の重送を検知することができるようになっている。超音波送信機は、原稿が搬送される搬送路に向けて超音波を送信し、その超音波が搬送路を挟んで超音波送信機と反対側に設けられた超音波受信機で受信されるようになっている。
【０００３】
超音波受信機における超音波の受信量は、搬送路内を原稿が搬送されていない場合と、原稿が１枚だけ搬送されている場合と、原稿が２枚以上重送されている場合とで異なり、原稿の枚数が増えるほど受信量は減少する。したがって、超音波の受信量に基づいて変化する超音波受信機からの出力信号のレベルを所定の閾値と比較することにより、原稿の重送を検知することが可能である。
【０００４】
一方で、通常の原稿読取装置には、搬送路内を通過する原稿の先端及び後端を検知するための先後端検知センサが備えられている。この先後端検知センサは、例えば光学センサからなり、搬送路に向かって光を照射し、搬送路内を通過する原稿からの反射光を受光することによって原稿を検知することができる。このような先後端検知センサからの出力信号に基づいて原稿の先端位置及び後端位置を特定し、それらの各位置に応じたタイミングで原稿の読み取りを行うことにより、原稿の先端から後端まで正確に読み取ることができ、原稿の読取範囲がずれるのを防止できる。
【特許文献１】特開２００５−３５７５７号公報
【特許文献２】特開２００４−２８４８０６号公報
【特許文献３】特開２０００−２５９８７号公報
【発明の開示】
【発明が解決しようとする課題】
【０００５】
しかしながら、超音波センサ及び先後端検知センサを別個に設けた場合には、製造コストが高くなるといった問題がある。そこで、特許文献１のように、原稿の重送を検知するためのセンサと原稿の先端及び後端を検知するためのセンサとを１つの超音波センサで共用化することが考えられるが、原稿の重送を検知する場合と原稿の先端及び後端を検知する場合とでは、精度よく検知を行うための方法が異なるといった問題がある。
【０００６】
すなわち、原稿の先端及び後端を精度よく検知するためには、連続的に検知を行うことにより、原稿の先端又は後端が検知位置に到達した時点で直ちに検知信号を出力した方が、原稿の先端及び後端を早く検知することができるので好ましい。一方、原稿の重送を検知する場合には、超音波送信機から連続的に超音波を送信すると、音波の干渉によって反射波を誤検知してしまう場合があるため、精度よく重送を検知することができない。
【０００７】
本発明は、上記の事情に鑑みてなされたものであり、製造コストを低減することができ、かつ、原稿の先端又は後端及び原稿の重送を精度よく検知することができる原稿読取装置を提供することを目的とする。
【課題を解決するための手段】
【０００８】
第１の本発明による原稿読取装置は、２以上の原稿を搬送路へ順次に搬送する原稿搬送手段と、上記原稿搬送手段により搬送される原稿の画像を読み取る原稿読取手段と、上記搬送路に向けて超音波を送信する超音波送信機と、上記搬送路を挟んで上記超音波送信機と反対側に設けられ、超音波の受信量に応じた信号を出力する超音波受信機と、上記超音波送信機から連続的に超音波を送信させ、上記超音波受信機からの出力信号に基づいて原稿の先端を検知する先端検知手段と、上記先端検知手段により原稿の先端が検知された後、上記超音波送信機から所定の送信周期で定期的に超音波を送信させ、上記超音波受信機からの出力信号に基づいて原稿の重送を検知する重送検知手段とを備えて構成される。
【０００９】
このような構成によれば、超音波送信機から送信した超音波の超音波受信機における受信量に基づいて、原稿の先端を検知することができるとともに、原稿の重送を検知することができる。このように、原稿の先端を検知するための機構と原稿の重送を検知するための機構とを共用化することにより、製造コストを低減することができる。
【００１０】
また、超音波送信機から連続的に超音波を送信させて原稿の先端を検知した後、超音波を所定の送信周期で定期的に送信させるように変更して、原稿の重送を検知することができる。これにより、原稿の先端が検知されるまでは、超音波送信機から連続的に超音波を送信させることにより、原稿の先端が検知位置に到達した時点で直ちに検知信号を出力することができるので、原稿の先端を精度よく検知することができる。原稿の先端が検知された後は、超音波送信機から定期的に超音波を送信させることにより、音波の干渉によって反射波を誤検知してしまうのを防止して、原稿の重送を精度よく検知することができる。
【００１１】
第２の本発明による原稿読取装置は、上記構成に加えて、上記重送検知手段が、原稿の重送検知を開始してから所定時間が経過するまで重送を検知し、上記所定時間が経過した後、上記超音波送信機から連続的に超音波を送信させ、上記超音波受信機からの出力信号に基づいて原稿の後端を検知する後端検知手段を備えて構成される。
【００１２】
このような構成によれば、原稿の先端を検知するための機構だけでなく、後端を検知するための機構も重送を検知するための機構と共用化することができるので、製造コストをさらに低減することができる。また、原稿の重送検知が開始されてから所定時間が経過したときに重送検知を終了し、その後は超音波送信機から連続的に超音波を送信させるように変更して、原稿の後端を検知することができる。このように、原稿の後端が検知されるまで超音波送信機から連続的に超音波を送信させることにより、原稿の後端が検知位置に到達した時点で直ちに検知信号を出力することができるので、原稿の後端を精度よく検知することができる。
【００１３】
第３の本発明による原稿読取装置は、上記構成に加えて、原稿のサイズ又は読取解像度に基づいて、上記所定時間を変更する重送検知時間変更手段を備えて構成される。
【００１４】
このような構成によれば、原稿のサイズ又は読取解像度に基づいて、原稿の先端が検知されてから後端が検知位置に到達するまでの時間をより正確に予測することができる。このようにして予測した時間に対応するように、原稿の重送検知を行う時間を変更することにより、重送検知をできるだけ長い時間行うことができるので、さらに精度よく重送を検知することができる。
【発明の効果】
【００１５】
本発明によれば、原稿の先端を検知するための機構と原稿の重送を検知するための機構とを共用化することにより、製造コストを低減することができる。また、超音波送信機から連続的に超音波を送信させて原稿の先端を検知した後、超音波を所定の送信周期で定期的に送信させるように変更して、原稿の重送を検知することにより、原稿の先端及び原稿の重送を精度よく検知することができる。
【発明を実施するための最良の形態】
【００１６】
図１は、本発明の実施の形態による原稿読取装置１の内部構成の一例を示した概略図である。この原稿読取装置１では、原稿トレイ２上に複数枚の原稿をセットすることができるようになっており、この原稿トレイ２上の原稿を原稿搬送機構３によって１枚ずつ順次に搬送し、各原稿の画像をスキャナ４で読み取ることにより、各原稿の画像データを生成することができる。この原稿読取装置１で読取可能な原稿には、紙に限らず、その他の薄いシート状の原稿が含まれるものとする。
【００１７】
原稿搬送機構３は、ピックアップローラ５、給紙ローラ６、分離ローラ７、複数の搬送ローラ８及び排出ローラ９を含む原稿搬送手段である。原稿トレイ２上の原稿は、回転するピックアップローラ５によって１枚ずつ順次に搬送路１０へ送り出される。このとき、互いに重なり合う原稿間に生じる静電気等に起因して、２枚以上の原稿が重なった状態で搬送路１０へ送り出されることにより、いわゆる重送が発生する場合がある。このような重送が発生した場合には、分離ローラ７によって２枚目以降の原稿が分離されて原稿トレイ２に送り返されることにより、１枚目の原稿のみが搬送路１０へと搬送されるようになっている。
【００１８】
ここで、給紙ローラ６及び分離ローラ７は、搬送路１０を挟んで互いに対向するように配置されている。給紙ローラ６は、ピックアップローラ５と同様に、搬送路１０内の用紙を下流側へ搬送する方向に回転する。一方、分離ローラ７は、搬送路１０内の用紙を上流側へ送り返す方向に回転する。これにより、ピックアップローラ５によって２枚以上の原稿が重なった状態で搬送路１０へ送り出された場合でも、１枚目の原稿を給紙ローラ６により下流側へ搬送しつつ、２枚目以降の原稿を分離ローラ７により原稿トレイ２に送り返すことができる。
【００１９】
給紙ローラ６から搬送路１０の下流側へ送り出された原稿は、搬送路１０に設けられた複数の搬送ローラ８によってさらに下流側へと搬送され、排出ローラ９を通って外部へ排出される。搬送路１０内を搬送される原稿は、搬送路１０の途中に設けられたスキャナ４によって画像が読み取られ、当該原稿の画像データが生成される。
【００２０】
スキャナ４は、原稿の画像を光学的に読み取る原稿読取手段であり、搬送路１０内の読取位置に向けて光を照射し、読取位置を通過する原稿からの反射光を受光することにより、その受光量に応じた電気信号を出力する。より具体的には、スキャナ４は、原稿に向けて光を照射する光源と、ライン状に配置された複数の受光素子からなるラインセンサとを備えており、原稿読取時には、ラインセンサの各受光素子から受光量に応じた信号が順次に出力されることにより主走査が実現される。一方、ラインセンサの複数の受光素子が並ぶ方向に対して直交方向に原稿が搬送されることにより、副走査が実現されるようになっている。
【００２１】
搬送路１０の途中には、原稿の重送を検知するための超音波センサ１４が設けられている。上述の通り、ピックアップローラ５から送り出される原稿が２枚以上重なっている場合には、給紙ローラ６及び分離ローラ７の作用によって１枚目の原稿のみが搬送路１０へと搬送されるようになっている。しかし、このような構成を採用している場合であっても、１枚目の原稿に重なっている２枚目以降の原稿を十分に分離することができず、搬送路１０内における給紙ローラ６の下流側で重送が発生してしまう場合がある。そこで、本実施の形態では、搬送路１０における給紙ローラ６の下流側に超音波センサ１４を設けて、当該超音波センサ１４からの出力信号に基づいて重送を検知することができるようになっている。
【００２２】
超音波センサ１４は、搬送路１０におけるスキャナ４よりも上流側に設けられており、搬送路１０に向けて超音波を送信する送信機１４Ａと、搬送路１０を挟んで送信機１４Ａと反対側に設けられた受信機１４Ｂとを備えている。受信機１４Ｂは、送信機１４Ａから送信されて搬送路１０を横切った超音波を受信し、その受信量に応じたレベルの信号を出力する。
【００２３】
したがって、搬送路１０内を原稿が搬送されているときには、送信機１４Ａから送信された超音波が搬送路１０内の原稿を通過することにより減衰するため、搬送路１０内を原稿が搬送されていないときと比べて受信機１４Ｂからの出力信号のレベルが低下することとなる。また、搬送路１０内で原稿が重送されているときには、搬送されている原稿が１枚だけの場合と比べて、受信機１４Ｂからの出力信号のレベルがさらに低下する。そのため、受信機１４Ｂからの出力信号のレベルに基づいて、原稿の重送を検知することができる。
【００２４】
搬送路１０の途中には、搬送路１０内を通過する原稿を検知するための複数の原稿検知センサ１１，１２が設けられている。この例では、給紙ローラ６の下流側かつ超音波センサ１４の上流側に第１原稿検知センサ１１が設けられ、スキャナ４の読取位置の下流側に第２原稿検知センサ１２が設けられている。これらの原稿検知センサ１１，１２は、例えば光学センサからなり、搬送路１０に向かって光を照射し、搬送路１０内を通過する原稿からの反射光を受光することによって原稿を検知することができる。
【００２５】
第１原稿検知センサ１１は、給紙ローラ６を通って搬送路１０内へ送り込まれた原稿を検知する。この第１原稿検知センサ１１からの出力信号に基づいて、後続の原稿を搬送路１０に送り出すタイミングを決定することができるとともに、原稿の有無を検出することができる。第２原稿検知センサ１２は、スキャナ４の読取位置を通過した原稿を検知する排出センサである。この第２原稿検知センサ１２からの出力信号に基づいて、読取完了した原稿の後端を検出することができるとともに、後続の原稿の有無を検出することができる。そして、これらの検出結果に基づいて、原稿搬送機構３を駆動させるためのモータ（図示せず）の停止制御を行うことができる。
【００２６】
本実施の形態では、超音波センサ１４を用いて、搬送路１０内を搬送される原稿の先端及び後端を検知することができるようになっている。すなわち、超音波センサ１４からの出力信号に基づいて原稿の先端位置及び後端位置を特定し、それらの各位置に応じたタイミングで読取開始及び読取終了を制御することにより、原稿の先端から後端まで正確に読み取ることができ、原稿の読取範囲がずれるのを防止できる。
【００２７】
図２は、この原稿読取装置１の電気的構成を示したブロック図である。また、図３及び図４は、この原稿読取装置１で原稿を搬送する際の態様を示したフローチャートであり、図３は原稿が重送された場合、図４は原稿が重送されなかった場合を示している。
【００２８】
図２に示すように、この原稿読取装置１には、増幅回路２１、ローパスフィルタ２２及び信号レベル比較回路２３の他、ＣＰＵ（Central Processing Unit）が実行するコンピュータプログラムにより実現される機能ブロックとして、クロック発生部２４、遅延部２５、遅延時間変更部２６、サンプリング周期決定部２７、連続入力カウンタ２８、回数比較部２９、割込信号入力部３０、割込制御部３１、基準レベル変更部３２及び先後端検知信号生成部３３などが備えられている。
【００２９】
送信機１４Ａは、図３（ａ）及び図４（ａ）に示すように、原稿の先端及び後端を検知する際には連続的に超音波を送信し、原稿の重送を検知する際には、クロック発生部２４から入力されるクロック信号に基づいて、一定の送信周期Ｔ１で定期的に超音波を送信する。送信機１４Ａから送信された超音波は、受信機１４Ｂにより受信され、その受信量に応じたレベルの信号が受信機１４Ｂから出力される。これにより、原稿の先端及び後端を検知しているときには、受信機１４Ｂから連続的に信号が出力され、原稿の重送を検知しているときには、送信機１４Ａの送信周期Ｔ１に対応する周期で定期的に受信機１４Ｂから信号が出力されるようになっている。
【００３０】
なお、原稿の重送を検知しているときには、送信機１４Ａから連続で超音波を送信した場合に、音波の干渉によって反射波を誤検知してしまうおそれがあるため、送信機１４Ａから一定の送信周期Ｔ１で定期的に超音波を送信するような構成を採用している。この送信周期Ｔ１は、送信機１４Ａから受信機１４Ｂまでの超音波の伝播時間に対して２倍程度に設定されている。
【００３１】
受信機１４Ｂからの出力信号は、増幅回路２１によって増幅された後、ローパスフィルタ２２によって整流され、図３（ｂ）及び図４（ｂ）に示した整流出力信号として信号レベル比較回路２３に入力される。信号レベル比較回路２３は、原稿の先端及び後端を検知する際には、入力された受信機１４Ｂからの出力信号のレベルを基準レベルＬ１と比較し、原稿の重送を検知する際には、上記出力信号のレベルを基準レベルＬ１よりも低い基準レベルＬ２と比較している。
【００３２】
上記基準レベルＬ１は、原稿が搬送されていないときに送信機１４Ａから超音波を送信した場合に信号レベル比較回路２３へ入力される信号のレベルと、搬送路１０内を搬送されている１枚の原稿に対して送信機１４Ａから超音波を送信した場合に信号レベル比較回路２３へ入力される信号のレベルとの中間レベルに設定されている。一方、上記基準レベルＬ２は、搬送路１０内を搬送されている１枚の原稿に対して送信機１４Ａから超音波を送信した場合に信号レベル比較回路２３へ入力される信号のレベルと、重送されている２枚以上の原稿に対して送信機１４Ａから超音波を送信した場合に信号レベル比較回路２３へ入力される信号のレベルとの中間レベルに設定されている。
【００３３】
したがって、通常、原稿の先端及び後端を検知しているときには、原稿が搬送されていないときと搬送されているときとで異なる比較結果が信号レベル比較回路２３から出力され、原稿の重送を検知しているときには、原稿が重送されずに１枚ずつ搬送されているときと重送されているときとで異なる比較結果が信号レベル比較回路２３から出力されるようになっている。ただし、原稿の厚さや種類の相違等によっては、受信機１４Ｂからの出力信号のレベルにばらつきが生じる場合があり、そのような場合には、原稿が重送されていないのに信号レベル比較回路２３に入力された信号のレベルが基準レベルＬ２未満と判断されたり、原稿が重送されているのに信号レベル比較回路２３に入力された信号のレベルが基準レベルＬ２以上と判断されたりする場合がある。
【００３４】
上記基準レベルＬ１，Ｌ２は、原稿のサイズ又は読取解像度に基づいて、基準レベル変更部３２により切り替えられるようになっている。より具体的には、原稿の先端及び後端を検知する際には、基準レベル変更部３２により信号レベル比較回路２３に基準レベルＬ１が設定され、原稿の重送を検知する際には、基準レベル変更部３２により信号レベル比較回路２３に基準レベルＬ２が設定されるようになっている。すなわち、原稿の重送を検知する時間は、基準レベル変更部３２により信号レベル比較回路２３に基準レベルＬ２が設定される時間によって規定されるようになっており、基準レベル変更部３２は、原稿の重送を検知する時間を変更する重送検知時間変更手段を構成している。
【００３５】
本実施の形態では、ユーザが設定した原稿の読取解像度に応じて、原稿搬送機構３による原稿の搬送速度が変更されるようになっている。すなわち、原稿の読取解像度が高く設定されるほど原稿の搬送速度を遅くすることにより、原稿を読み取る際の単位面積当たりの画素数を増加させ、原稿の読取解像度が低く設定されるほど原稿の搬送速度を速くすることにより、原稿を読み取る際の単位面積当たりの画素数を減少させるようになっている。
【００３６】
したがって、原稿の読取解像度が異なる場合には、原稿の先端が検知されてから後端が検知されるまでの時間が異なり、原稿の重送を検知すべき時間が変化するため、基準レベル変更部３２による基準レベルＬ１，Ｌ２の切替タイミングが変更されるようになっている。また、原稿のサイズが異なる場合にも、原稿の先端が検知されてから後端が検知されるまでの時間が異なり、原稿の重送を検知すべき時間が変化するため、基準レベル変更部３２による基準レベルＬ１，Ｌ２の切替タイミングが変更されるようになっている。
【００３７】
原稿の読取解像度は、ユーザが数値を直接入力することにより設定されるような構成であってもよいし、変倍率などの他の数値をユーザが設定した場合に、その数値に対応する読取解像度が設定されるような構成であってもよい。また、原稿のサイズの設定は、ユーザの入力操作により行われるような構成であってもよいし、センサを用いて原稿のサイズを検知することにより自動的に行われるような構成であってもよい。
【００３８】
原稿の重送を検知しているときには、信号レベル比較回路２３からの出力信号が、サンプリング周期決定部２７により決定された所定のサンプリング周期Ｔ２で定期的に連続入力カウンタ２８に取り込まれる。すなわち、図３（ｃ）及び図４（ｃ）に示すように信号レベル比較回路２３から定期的に出力される比較結果の全部又は一部が、図３（ｄ）及び図４（ｄ）に示すようなサンプリング周期Ｔ２で定期的に抽出され、連続入力カウンタ２８に取り込まれるようになっている。なお、サンプリング周期Ｔ２は、信号レベル比較回路２３から出力される比較結果のＭ倍（Ｍは自然数）の周期に設定される。
【００３９】
これにより、原稿の重送を検知しているとき、サンプリング周期Ｔ２が信号レベル比較回路２３からの比較結果の出力周期と一致する場合には、信号レベル比較回路２３からの比較結果がすべて連続入力カウンタ２８に取り込まれる。一方、サンプリング周期Ｔ２が信号レベル比較回路２３からの比較結果の出力周期よりも大きい場合には、信号レベル比較回路２３からの比較結果が間引かれて、一部の比較結果のみが所定のサンプリング周期Ｔ２で連続入力カウンタ２８に取り込まれる。
【００４０】
ここで、上記サンプリング周期Ｔ２は、図３（ｄ）及び図４（ｄ）に示すように、クロック発生部２４からのクロック信号に基づく送信機１４Ａによる超音波の送信周期Ｔ１に対して、遅延部２５により所定の遅延時間Ｔ３だけ遅れた周期に設定されるようになっている。この遅延時間Ｔ３は、設定操作に基づいて遅延時間変更部２６から遅延部２５へ信号が入力されることにより、任意に変更できるようになっている。遅延時間変更部２６は、遅延部２５における遅延時間Ｔ３を変更する遅延時間変更手段である。
【００４１】
連続入力カウンタ２８は、所定のサンプリング周期Ｔ２で取り込まれた信号レベル比較回路２３からの比較結果に基づいて、連続して基準レベルＬ２未満と判断された場合には値をカウントアップ（＋１）し、基準レベルＬ２以上と判断された場合には値をリセットする。連続入力カウンタ２８の値は、回数比較部２９によって基準回数Ｎと比較される。すなわち、回数比較部２９は、信号レベル比較回路２３により連続して基準レベルＬ２未満と判断された回数を基準回数Ｎと比較する。
【００４２】
原稿の重送を検知する際、信号レベル比較回路２３及び回数比較部２９は、受信機１４Ｂからの出力信号に基づいて定期的に原稿の重送を検知する重送検知手段を構成しており、回数比較部２９の比較結果に基づいて原稿の重送が検知されるようになっている。すなわち、連続入力カウンタ２８の値が基準回数Ｎに到達したときに、原稿の重送を検知した旨を表す重送検知信号が回数比較部２９から出力され、連続入力カウンタ２８の値が基準回数Ｎ未満の間は、回数比較部２９から重送検知信号が出力されないようになっている。なお、連続入力カウンタ２８の値は、基準回数Ｎに到達したときにリセットされるようになっている。
【００４３】
割込信号入力部３０は、回数比較部２９から重送検知信号が出力された場合に、割込制御部３１に割込信号を入力する割込信号入力手段である。すなわち、図３（ｅ）に示すように、所定のサンプリング周期Ｔ２で取り込まれた信号レベル比較回路２３からの比較結果に基づいて、連続して基準レベルＬ２未満と判断された回数が基準回数Ｎに到達したときに、割込信号入力部３０から割込制御部３１に割込信号が入力されるようになっている。この図３（ｅ）の例では、基準回数Ｎが「２」に設定された場合が示されている。
【００４４】
割込制御部３１は、割込信号入力部３０から割込信号が入力された場合に、実行中の処理を中断し、割込信号に基づく処理を実行する割込制御手段である。原稿の読取中は、原稿搬送機構３及びスキャナ４などが駆動され、原稿搬送機構３により１枚ずつ搬送されてスキャナ４で読み取られた原稿の画像データが順次にメモリ（図示せず）に格納される処理が行われる。この状態で回数比較部２９から重送検知信号が出力された場合には、割込信号入力部３０から入力された割込信号に基づいて、割込制御部３１が上記処理を中断し、割込信号に基づく処理として原稿搬送機構３及びスキャナ４などの駆動を停止させるための処理を行う。
【００４５】
一方、原稿の先端及び後端を検知しているときには、信号レベル比較回路２３が先後端検知手段を構成しており、この信号レベル比較回路２３からの出力信号が、先後端検知信号生成部３３に入力されるようになっている。先後端検知信号生成部３３は、信号レベル比較回路２３からの比較結果に基づいて、受信機１４Ｂからの出力信号のレベルが基準レベルＬ１以上から基準レベルＬ１未満になったと判断された場合に先端検知信号を生成し、基準レベルＬ１未満から基準レベルＬ１以上になったと判断された場合に後端検知信号を生成する。
【００４６】
先後端検知信号生成部３３により生成された先端検知信号及び後端検知信号は、割込信号入力部３０に入力されるようになっている。割込信号入力部３０は、先後端検知信号生成部３３からの入力信号に基づいて、先端検知信号が入力されてから後端検知信号が入力されるまでの間だけ、割込制御部３１への割込信号の入力が許可される。すなわち、図３（ｅ）及び図４（ｅ）に示すように、原稿の先端が検知された後、当該原稿の後端が検知されるまでの割込信号許可期間Ｔ４に、回数比較部２９から重送検知信号が出力された場合にのみ、割込信号入力部３０から割込制御部３１に割込信号が入力されるようになっている。
【００４７】
図５は、原稿を搬送する際の処理の一例を示したフローチャートである。原稿の読み取りが開始され、原稿搬送機構３による原稿の搬送が開始されると、まず、割込信号入力部３０から割込制御部３１への割込信号の入力が禁止された状態となる（ステップＳ１０１）。そして、送信機１４Ａから連続的に超音波が送信されることにより（ステップＳ１０２）、その超音波を受信した受信機１４Ｂからの出力信号に基づいて、原稿の先端検知が行われる（ステップＳ１０３）。
【００４８】
その後、信号レベル比較回路２３からの比較結果に基づいて、受信機１４Ｂからの出力信号のレベルが基準レベルＬ１以上から基準レベルＬ１未満になったと判断されることにより、原稿の先端が検知されると（ステップＳ１０３でＹｅｓ）、先後端検知信号生成部３３により先端検知信号が生成され、その先端検知信号に基づいて割込信号入力部３０から割込制御部３１への割込信号の入力が許可される（ステップＳ１０４）。また、送信機１４Ａから一定の送信周期Ｔ１で定期的に超音波が送信されるように変更され（ステップＳ１０５）、この状態で原稿の重送を検知するための処理が行われる（ステップＳ１０６）。
【００４９】
原稿の重送を検知するための処理は、検知開始から所定時間が経過するまで行われる。そして、原稿の重送が検知されることなく上記所定時間が経過した場合には、割込信号入力部３０から割込制御部３１への割込信号の入力が禁止された状態となる（ステップＳ１０７）。また、再び送信機１４Ａから連続的に超音波が送信されるように変更され（ステップＳ１０８）、その超音波を受信した受信機１４Ｂからの出力信号に基づいて、原稿の後端検知が行われる（ステップＳ１０９）。
【００５０】
その後、信号レベル比較回路２３からの比較結果に基づいて、受信機１４Ｂからの出力信号のレベルが基準レベルＬ１未満から基準レベルＬ１以上になったと判断されることにより、原稿の後端が検知されると（ステップＳ１０９でＹｅｓ）、先後端検知信号生成部３３により後端検知信号が生成される。そして、原稿の後端がスキャナ４の読取位置を通って排出ローラ９から外部へ排出されることにより、１枚目の原稿の搬送が終了する。その後、後続の原稿がある場合には、継続して原稿の先端検知（ステップＳ１０３）が行われ、原稿の先端が検知された場合には（ステップＳ１０３でＹｅｓ）、ステップＳ１０４以降の処理が行われる。
【００５１】
図６は、原稿の重送検知を行う際の処理の一例を示したフローチャートである。図５のステップＳ１０６に示した原稿の重送を検知するための処理は、検知開始から所定時間が経過（図６のステップＳ２０８でＹｅｓ）するまで行われるようになっており、この期間中はサンプリング周期決定部２７により決定された所定のサンプリング周期Ｔ２でサンプリングタイミングとなり（ステップＳ２０１でＹｅｓ）、各サンプリングタイミングで信号レベル比較回路２３から連続入力カウンタ２８に比較結果が取り込まれるようになっている（ステップＳ２０２）。
【００５２】
そして、信号レベル比較回路２３において受信機１４Ｂからの出力信号のレベルが基準レベルＬ２未満と判断されている場合には（ステップＳ２０３でＮｏ）、連続入力カウンタ２８の値がカウントアップされる（ステップＳ２０４）。一方、信号レベル比較回路２３において受信機１４Ｂからの出力信号のレベルが基準レベルＬ２以上と判断されている場合には（ステップＳ２０３でＹｅｓ）、連続入力カウンタ２８の値がリセットされる（ステップＳ２０７）。
【００５３】
連続入力カウンタ２８の値がカウントアップされた場合には（ステップＳ２０４）、回数比較部２９により、カウントアップ後の連続入力カウンタ２８の値が基準回数Ｎに到達したか否かが判定される（ステップＳ２０５）。このとき、連続入力カウンタ２８の値が基準回数Ｎに到達していれば（ステップＳ２０５でＹｅｓ）、回数比較部２９から重送検知信号が出力され（ステップＳ２０６）、この重送検知信号に基づいて割込信号入力部３０から割込制御部３１に割込信号が入力されることにより、実行中の処理が中断されて、割込信号に基づく処理が実行される。
【００５４】
このように、原稿の重送が検知された場合には、その後の処理（図５のステップＳ１０７〜Ｓ１０９）は行われないようになっている。一方、原稿の重送が検知されることなく上記所定時間が経過した場合には（ステップＳ２０８でＹｅｓ）、原稿の重送検知が終了し、その後の処理（図５のステップＳ１０７〜Ｓ１０９）が行われる。
【００５５】
本実施の形態では、送信機１４Ａから送信した超音波の受信機１４Ｂにおける受信量に基づいて、原稿の先端及び後端を検知することができるとともに、原稿の重送を検知することができる。このように、原稿の先端及び後端を検知するための機構と原稿の重送を検知するための機構とを共用化することにより、製造コストを低減することができる。
【００５６】
また、原稿の先端が検知された後、原稿の後端が検知されるまでの間に重送が検知された場合にのみ、割込制御部３１に割込信号を入力して実行中の処理を中断させ、当該割込信号に基づく処理を実行させることができる。これにより、原稿の先端が検知される前や原稿の後端が検知された後に、静電気等に起因して割込信号が誤入力され、実行中の処理が中断されてしまうのを防止できるとともに、原稿の先端が検知されてから後端が検知されるまでのできるだけ長い期間、割込信号の入力を許可することにより、原稿の先端部や後端部で重送が発生している場合でも重送を良好に検知することができる。したがって、原稿の重送をより精度よく検知することができる。
【００５７】
また、本実施の形態では、送信機１４Ａから連続的に超音波を送信させて原稿の先端を検知した後、超音波を所定の送信周期Ｔ１で定期的に送信させるように変更して、原稿の重送を検知し、重送検知が終了した後は、再び送信機１４Ａから連続的に超音波を送信させるように変更して、原稿の後端を検知することができる。
【００５８】
これにより、原稿の先端及び後端を検知する際には、送信機１４Ａから連続的に超音波を送信させることにより、原稿の先端又は後端が検知位置に到達した時点で直ちに検知信号を出力することができるので、原稿の先端及び後端を精度よく検知することができる。また、原稿の重送を検知する際には、送信機１４Ａから定期的に超音波を送信させることにより、音波の干渉によって反射波を誤検知してしまうのを防止して、原稿の重送を精度よく検知することができる。
【００５９】
さらに、本実施の形態では、原稿のサイズ又は読取解像度に基づいて、原稿の先端が検知されてから後端が検知位置に到達するまでの時間をより正確に予測することができる。このようにして予測した時間に対応するように、原稿の重送検知を行う時間を変更することにより、重送検知をできるだけ長い時間行うことができるので、さらに精度よく重送を検知することができる。
【００６０】
また、本実施の形態では、受信機１４Ｂからの出力信号のレベルを定期的に基準レベルＬ２と比較し、各出力信号のレベルが連続して基準レベルＬ２未満と判断された回数を基準回数Ｎと比較することにより、その比較結果に基づいて原稿の重送を検知することができる。これにより、原稿の厚さの相違等に基づく出力信号のレベルのばらつきに起因して、重送されていないのに出力信号のレベルが基準レベルＬ２未満と判断された場合であっても、基準回数Ｎ以上連続して基準レベルＬ２未満と判断された場合にのみ重送として検知される。したがって、重送の誤検知を防止でき、より精度よく重送を検知することができる。
【００６１】
さらにまた、本実施の形態では、超音波の送信周期Ｔ１に対するサンプリング周期Ｔ２の遅延時間Ｔ３を任意に変更することができるので、当該遅延時間Ｔ３を変更することにより、受信機１４Ｂからの出力信号に基づいて最適なタイミングで重送を検知することができ、さらに精度よく重送を検知することができる。
【００６２】
以上の実施の形態では、原稿の重送を検知する際に、信号レベル比較回路２３からの比較結果が間引かれて、一部の比較結果のみが所定のサンプリング周期Ｔ２で連続入力カウンタ２８に取り込まれるような構成について説明した。しかし、このような構成に限らず、受信機１４Ｂからの出力信号が間引かれることにより、一部の出力信号のみが所定の周期で抽出されて信号レベル比較回路２３に入力され、信号レベル比較回路２３からの比較結果が全て連続入力カウンタ２８に入力されるような構成であってもよい。
【００６３】
また、以上の実施の形態では、原稿読取装置１の一例として、原稿の画像をスキャナ４で読み取り、生成した原稿の画像データをメモリに格納する構成について説明したが、このような原稿読取装置１が複写機などの画像形成装置に組み込まれることにより、生成された原稿の画像データに基づく画像が用紙に印刷されるような構成であってもよい。
【図面の簡単な説明】
【００６４】
【図１】本発明の実施の形態による原稿読取装置の内部構成の一例を示した概略図である。
【図２】この原稿読取装置の電気的構成を示したブロック図である。
【図３】この原稿読取装置で原稿を搬送する際の態様を示したフローチャートであり、原稿が重送された場合を示している。
【図４】この原稿読取装置で原稿を搬送する際の態様を示したフローチャートであり、原稿が重送されなかった場合を示している。
【図５】原稿を搬送する際の処理の一例を示したフローチャートである。
【図６】原稿の重送検知を行う際の処理の一例を示したフローチャートである。
【符号の説明】
【００６５】
１  原稿読取装置
３  原稿搬送機構
４  スキャナ
１０  搬送路
１４  超音波センサ
１４Ａ  送信機
１４Ｂ  受信機
２１  増幅回路
２２  ローパスフィルタ
２３  信号レベル比較回路
２４  クロック発生部
２５  遅延部
２６  遅延時間変更部
２７  サンプリング周期決定部
２８  連続入力カウンタ
２９  回数比較部
３０  割込信号入力部
３１  割込制御部
３２  基準レベル変更部
３３  先後端検知信号生成部
【図１】
2008214046.tif 000003
【図２】
2008214046.tif 000004
【図３】
2008214046.tif 000005
【図４】
2008214046.tif 000006
【図５】
2008214046.tif 000007
【図６】
2008214046.tif 000008